(57)【特許請求の範囲】
【請求項１】
信号に印加される背景雑音に依存してデータレートが変化する通信装置を用いる通信システムであって、前記背景雑音をモニタするモニタ手段と、前記信号から前記モニタ手段でモニタされた背景雑音成分のみをキャンセルして前記通信装置と他装置との同期を確立させるキャンセル手段とを有することを特徴とする通信システム。
【請求項２】
前記モニタ手段は、前記通信装置と他装置との間で前記データレートの決定処理が実施される前に前記背景雑音をモニタするよう構成したことを特徴とする請求項１記載の通信システム。
【請求項３】
前記キャンセル手段は、前記通信装置と他装置との同期を確立させる際に前記背景雑音成分のみをキャンセルするよう構成したことを特徴とする請求項１または請求項２記載の通信システム。
【請求項４】
ＣＯ（Ｃｅｎｔｒａｌ  Ｏｆｆｉｃｅ）モデムとＣＰＥ（Ｃｕｓｔｏｍｅｒ  Ｐｒｅｍｉｓｅ  Ｅｑｕｉｐｍｅｎｔ）モデムとの間でＡＤＳＬ（Ａｓｙｍｍｅｔｒｉｃ  Ｄｉｇｉｔａｌ  Ｓｕｂｓｃｒｉｂｅｒ  Ｌｉｎｅ）信号の送受信を行う通信システムであって、前記ＣＯモデム及び前記ＣＰＥモデムのうちの少なくとも一方に対して定常的に印加される背景雑音をモニタするモニタ手段と、前記ＡＤＳＬ信号から前記モニタ手段でモニタされた背景雑音成分のみをキャンセルして前記ＣＯモデムと前記ＣＰＥモデムとの同期を確立させるキャンセル手段とを有することを特徴とする通信システム。
【請求項５】
前記モニタ手段は、前記ＣＯモデムと前記ＣＰＥモデムとの間でデータレートの決定処理が実施される前に前記背景雑音をモニタするよう構成したことを特徴とする請求項４記載の通信システム。
【請求項６】
前記キャンセル手段は、前記ＣＯモデムと前記ＣＰＥモデムとの同期を確立させる際に前記背景雑音成分のみをキャンセルするよう構成したことを特徴とする請求項４または請求項５記載の通信システム。
【請求項７】
信号に印加される背景雑音に依存してデータレートが変化する通信装置を用いる通信システムの背景雑音キャンセル方法であって、前記背景雑音をモニタするステップと、前記信号からそのモニタされた背景雑音成分のみをキャンセルして前記通信装置と他装置との同期を確立させるステップとを有することを特徴とする背景雑音キャンセル方法。
【請求項８】
前記背景雑音をモニタするステップは、前記通信装置と他装置との間で前記データレートの決定処理が実施される前に前記背景雑音をモニタするようにしたことを特徴とする請求項７記載の背景雑音キャンセル方法。
【請求項９】
前記背景雑音成分のみをキャンセルするステップは、前記通信装置と他装置との同期を確立させる際に前記背景雑音成分のみをキャンセルするようにしたことを特徴とする請求項７または請求項８記載の背景雑音キャンセル方法。
【請求項１０】
ＣＯ（Ｃｅｎｔｒａｌ  Ｏｆｆｉｃｅ）モデムとＣＰＥ（Ｃｕｓｔｏｍｅｒ  Ｐｒｅｍｉｓｅ  Ｅｑｕｉｐｍｅｎｔ）モデムとの間でＡＤＳＬ（Ａｓｙｍｍｅｔｒｉｃ  Ｄｉｇｉｔａｌ  Ｓｕｂｓｃｒｉｂｅｒ  Ｌｉｎｅ）信号の送受信を行う通信システムの背景雑音キャンセル方法であって、前記ＣＯモデム及び前記ＣＰＥモデムのうちの少なくとも一方に対して定常的に印加される背景雑音をモニタするステップと、前記ＡＤＳＬ信号からそのモニタされた背景雑音成分のみをキャンセルして前記ＣＯモデムと前記ＣＰＥモデムとの同期を確立させるステップとを有することを特徴とする背景雑音キャンセル方法。
【請求項１１】
前記背景雑音をモニタするステップは、前記ＣＯモデムと前記ＣＰＥモデムとの間でデータレートの決定処理が実施される前に前記背景雑音をモニタするようにしたことを特徴とする請求項１０記載の背景雑音キャンセル方法。
【請求項１２】
前記背景雑音成分のみをキャンセルするステップは、前記ＣＯモデムと前記ＣＰＥモデムとの同期を確立させる際に前記背景雑音成分のみをキャンセルするようにしたことを特徴とする請求項１０または請求項１１記載の背景雑音キャンセル方法。
【発明の詳細な説明】
【０００１】
【発明の属する技術分野】
本発明は通信システム及びそれに用いる背景雑音キャンセル方法に関し、特にＡＤＳＬ（Ａｓｙｍｍｅｔｒｉｃ  Ｄｉｇｉｔａｌ  Ｓｕｂｓｃｒｉｂｅｒ  Ｌｉｎｅ）通信装置におけるデータレートの決定に関する。
【０００２】
【従来の技術】
従来、ＡＤＳＬ通信システムにおいては、そのデータレートの決定がＡＤＳＬ信号と背景雑音とを含む外来ノイズ源とのＳ／Ｎ（Ｓｉｇｎａｌ／Ｎｏｉｓｅ）比及び伝送距離に依存している。
【０００３】
同一距離の比較においては、背景雑音が大きい場合、データレートが低く獲得され、反対に背景雑音が小さい場合、データレートが高く獲得されるのが現状である。
【０００４】
【発明が解決しようとする課題】
上述した従来のＡＤＳＬ通信システムにおけるデータレートの決定では、背景雑音を含むノイズが影響するため、背景雑音を含む外来ノイズの増大に比例してデータレートが低く抑えられるという問題がある。
【０００５】
そこで、本発明の目的は上記の問題点を解消し、背景雑音量に影響されることなく一定のデータレートを獲得することができる通信システム及びそれに用いる背景雑音キャンセル方法を提供することにある。
【０００６】
【課題を解決するための手段】
本発明による通信システムは、信号に印加される背景雑音に依存してデータレートが変化する通信装置を用いる通信システムであって、前記背景雑音をモニタするモニタ手段と、前記信号から前記モニタ手段でモニタされた背景雑音成分のみをキャンセルして前記通信装置と他装置との同期を確立させるキャンセル手段とを備えている。
【０００７】
本発明による他の通信システムは、ＣＯ（Ｃｅｎｔｒａｌ  Ｏｆｆｉｃｅ）モデムとＣＰＥ（Ｃｕｓｔｏｍｅｒ  Ｐｒｅｍｉｓｅ  Ｅｑｕｉｐｍｅｎｔ）モデムとの間でＡＤＳＬ（Ａｓｙｍｍｅｔｒｉｃ  Ｄｉｇｉｔａｌ  Ｓｕｂｓｃｒｉｂｅｒ  Ｌｉｎｅ）信号の送受信を行う通信システムであって、前記ＣＯモデム及び前記ＣＰＥモデムのうちの少なくとも一方に対して定常的に印加される背景雑音をモニタするモニタ手段と、前記ＡＤＳＬ信号から前記モニタ手段でモニタされた背景雑音成分のみをキャンセルして前記ＣＯモデムと前記ＣＰＥモデムとの同期を確立させるキャンセル手段とを備えている。
【０００８】
本発明による背景雑音キャンセル方法は、信号に印加される背景雑音に依存してデータレートが変化する通信装置を用いる通信システムの背景雑音キャンセル方法であって、前記背景雑音をモニタするステップと、前記信号からそのモニタされた背景雑音成分のみをキャンセルして前記通信装置と他装置との同期を確立させるステップとを備えている。
【０００９】
本発明による他の背景雑音キャンセル方法は、ＣＯ（Ｃｅｎｔｒａｌ  Ｏｆｆｉｃｅ）モデムとＣＰＥ（Ｃｕｓｔｏｍｅｒ  Ｐｒｅｍｉｓｅ  Ｅｑｕｉｐｍｅｎｔ）モデムとの間でＡＤＳＬ（Ａｓｙｍｍｅｔｒｉｃ  Ｄｉｇｉｔａｌ  Ｓｕｂｓｃｒｉｂｅｒ  Ｌｉｎｅ）信号の送受信を行う通信システムの背景雑音キャンセル方法であって、前記ＣＯモデム及び前記ＣＰＥモデムのうちの少なくとも一方に対して定常的に印加される背景雑音をモニタするステップと、前記ＡＤＳＬ信号からそのモニタされた背景雑音成分のみをキャンセルして前記ＣＯモデムと前記ＣＰＥモデムとの同期を確立させるステップとを備えている。
【００１０】
すなわち、本発明の背景雑音キャンセル方法は、ＡＤＳＬ（Ａｓｙｍｍｅｔｒｉｃ  Ｄｉｇｉｔａｌ  Ｓｕｂｓｃｒｉｂｅｒ  Ｌｉｎｅ）通信システムにおけるＣＯ（Ｃｅｎｔｒａｌ  Ｏｆｆｉｃｅ：電話交換局）モデム及びＣＰＥ（Ｃｕｓｔｏｍｅｒ  Ｐｒｅｍｉｓｅ  Ｅｑｕｉｐｍｅｎｔ：加入者宅内機器）モデムの同期確立に関し、ＣＯモデムに背景雑音レベル検出器、背景雑音キャンセル回路、制御回路を有し、ＣＯモデムまたはＣＰＥモデムに対して定常的に印加される背景雑音をモニタし、ＡＤＳＬ信号から背景雑音成分のみをキャンセルし、同期を確立させることによって、背景雑音の量に依存せずにデータレートを確定させることが可能となる。
【００１１】
より具体的に説明すると、ＡＤＳＬ通信システムにおけるＣＯモデムまたはＣＰＥモデムに、背景雑音レベル検出回路と、背景雑音のキャンセル機能を有する背景雑音キャンセル回路とを設けている。
【００１２】
背景雑音レベル検出回路はＣＯモデムとＣＰＥモデムとの間でトレーニング（データレートの決定処理）が実施される前に、受信フィルタから出力される信号をモニタし、背景雑音を検出する。背景雑音キャンセル回路はトレーニング以降に、背景雑音レベル検出回路から出力される背景雑音レベル信号を基に、定常的に印加される背景雑音をキャンセルする。
【００１３】
したがって、背景雑音のレベル量に関わらず、ＣＯモデムとＣＰＥモデムとの間でトレーニング後に獲得されるデータレートが一定になるという効果が得られる。
【００１４】
つまり、ＣＯモデムとＣＰＥモデムとがアイドル（ＩＤＬＥ）中に背景雑音を測定して結果を記憶し、トレーニング中及び同期確立中に、記憶してある背景雑音のレベルをキャンセルし、ＡＤＳＬ信号及び背景雑音を除く外来ノイズ成分のみを復調することで、背景雑音の量に影響されることなく一定のデータレートを獲得することが可能となる。
【００１５】
【発明の実施の形態】
次に、本発明の一実施例について図面を参照して説明する。図１は本発明の一実施例によるＡＤＳＬ（Ａｓｙｍｍｅｔｒｉｃ  Ｄｉｇｉｔａｌ  Ｓｕｂｓｃｒｉｂｅｒ  Ｌｉｎｅ）通信システムの構成を示すブロック図である。図１において、本発明の一実施例によるＡＤＳＬ通信システムはＣＯ（Ｃｅｎｔｒａｌ  Ｏｆｆｉｃｅ：電話交換局）モデム１と、ＣＰＥ（Ｃｕｓｔｏｍｅｒ  Ｐｒｅｍｉｓｅ  Ｅｑｕｉｐｍｅｎｔ：加入者宅内機器）モデム２とから構成されている。
【００１６】
ＣＯモデム１はＡＤＳＬ送信回路１１と、ハイブリッド回路１２と、ＡＤＳＬ受信回路１３とから構成されている。また、ＡＤＳＬ受信回路１３は受信フィルタ１４と、背景雑音レベル検出器１５と、Ａ／Ｄ（アナログ／ディジタル）変換回路１６と、制御回路１７と、背景雑音キャンセル回路１８と、復調回路１９と、多重化回路２０とから構成されている。
【００１７】
ＣＯモデム１のＡＤＳＬ送信回路１１はＩＰ（ＩｎｔｅｒｎｅｔＰｒｏｔｃｏｌ）網（図示せず）から受信した信号をＡＤＳＬ信号に変調しかつＡＤＳＬのアナログ信号に変換し、ハイブリッド回路１２へ出力する。
【００１８】
ハイブリッド回路１２はＣＰＥモデム２から送受信されるＡＤＳＬ信号１００のインタフェースの機能を有し、ＡＤＳＬ信号１００を送信信号と受信信号とにそれぞれ分離する。
【００１９】
ＡＤＳＬ受信回路１３の受信フィルタ１４は受信側ＡＤＳＬ信号のフィルタ機能を有する。背景雑音レベル検出器１５は受信フィルタ１４からの信号を受けると、ＣＯモデム１及びＣＰＥモデム２がアイドル（ＩＤＬＥ）状態の時のＡＤＳＬ帯域の背景雑音を測定し、その測定結果を保持する機能を備えている。
【００２０】
Ａ／Ｄ変換回路１６はＡＤＳＬのアナログ信号をディジタル信号へ変換する。背景雑音キャンセル回路１８はＣＯモデム１とＣＰＥモデム２との間のトレーニング中及び同期確立中に、復調回路１９からの信号に対して、背景雑音レベル検出器１１の測定結果を基に背景雑音をキャンセルする機能を備えている。
【００２１】
復調回路１９はＡ／Ｄ変換回路１６によってディジタル信号に変換されたＡＤＳＬ信号を論理信号へ復調する。多重化回路２０は復調回路８からの信号を多重化した後にＩＰ網へ出力する。
【００２２】
図２は図１のＡＤＳＬ受信回路１３の動作を示すフローチャートである。これら図１及び図２を参照して本発明の一実施例によるＡＤＳＬ通信システムの背景雑音キャンセル処理について説明する。
【００２３】
ＡＤＳＬ受信回路１３ではＣＯモデム１及びＣＰＥモデム２がアイドル状態の時（図２ステップＳ１）、制御回路１７の制御によって背景雑音レベル検出器１５で、定常的に印加される背景雑音のレベル測定を行い（図２ステップＳ２）、その測定結果を保持する（図２ステップＳ３）。
【００２４】
その後、ＣＯモデム１とＣＰＥモデム２とは同期確立のために、トレーニング（データレートの決定処理）を行う（図２ステップＳ４）。この時、Ａ／Ｄ変換回路１６はＣＰＥモデム２からのＡＤＳＬ信号に背景雑音及び外来ノイズが混合された信号を受信フィルタ１４を介して受けると、ＡＤＳＬのアナログ信号をディジタル信号へ変換する（図２ステップＳ５）。
【００２５】
復調回路１９はＡ／Ｄ変換回路１６によってディジタル信号に変換されたＡＤＳＬ信号を論理信号へ復調するが、その際、復調された信号から背景雑音レベル検出器１５で測定された背景雑音レベル量のみが背景雑音キャンセル回路１８によってキャンセルされる（図２ステップＳ６）。
【００２６】
復調回路１９は背景雑音キャンセル回路１８で背景雑音レベル量のみがキャンセルされた信号を基に、ＡＤＳＬ信号とノイズ量とのＳ／Ｎ（Ｓｉｇｎａｌ／Ｎｏｉｓｅ）比からＡＤＳＬの使用帯域を決定し、データレートを確定する（図２ステップＳ７）。その際、背景雑音キャンセル回路１８によって背景雑音のレベル量に関わらず，Ｓ／Ｎ比が等しい結果となり、結果として同じデータレートが獲得される。
【００２７】
このように、ＣＯモデム１とＣＰＥモデム２との間のトレーニング前に背景雑音レベルの測定及び測定結果の保持を行い、トレーニング中及び同期確立中に、保持された測定結果から背景雑音のレベル値をキャンセルすることによって、背景雑音のレベルに依存せず、定常的な背景雑音の多い悪環境下においても背景雑音のない使用環境と同じデータレートを獲得することができる。
【００２８】
尚、本発明は上記の実施例に限定されるものではなく、信号に印加される背景雑音に依存し、すなわちＳ／Ｎ比に依存してデータレートが変化するすべての装置に適用することができる。
【００２９】
【発明の効果】
以上説明したように本発明によれば、ＣＯモデムとＣＰＥモデムとの間でＡＤＳＬ信号の送受信を行う通信システムにおいて、ＣＯモデム及びＣＰＥモデムのうちの少なくとも一方に対して定常的に印加される背景雑音をモニタし、ＡＤＳＬ信号からそのモニタされた背景雑音成分のみをキャンセルしてＣＯモデムとＣＰＥモデムとの同期を確立させることによって、背景雑音量に影響されることなく一定のデータレートを獲得することができるという効果がある。
【図面の簡単な説明】
【図１】本発明の一実施例によるＡＤＳＬ通信システムの構成を示すブロック図である。
【図２】図１のＡＤＳＬ受信回路の動作を示すフローチャートである。
【符号の説明】
１  ＣＯモデム
２  ＣＰＥモデム
１１  ＡＤＳＬ送信回路
１２  ハイブリッド回路
１３  ＡＤＳＬ受信回路
１４  受信フィルタ
１５  背景雑音レベル検出器
１６  Ａ／Ｄ変換回路
１７  制御回路
１８  背景雑音キャンセル回路
１９  復調回路
２０  多重化回路
【図１】
0003586661.tif 000002
【図２】
0003586661.tif 000003